(57)【要約】【課題】遊技機の装飾の形態にかかわらず、遊技情報表示装置の表示情報の視認性及び操作部の操作性の高い遊技情報表示装置１を提供する。【解決手段】遊技情報表示装置１は、遊技情報を表示する遊技情報表示部２１と、遊技者の操作を受ける操作部２２とが設けられた装置本体２と、遊技機８の上方において、遊技場の壁面Ｗａに、壁面Ｗａと装置本体２との間の前後方向の距離を変えることで装置本体２の前後方向の位置を調整可能に、装置本体２を支持する支持部３とを備えている。【選択図】図３Ａ
2020025725.tif 000002
【特許請求の範囲】
【請求項１】
遊技情報を表示する遊技情報表示部と、遊技者の操作を受ける操作部とが設けられた装置本体と、
遊技機の上方において、遊技島の壁面に、前記壁面と前記装置本体との間の前後方向の距離を変えることで前記装置本体の前後方向の位置を調整可能に、前記装置本体を支持する支持部とを備えている
ことを特徴とする遊技情報表示装置。
【請求項２】
請求項１に記載の遊技情報表示装置において、
前記支持部は、前記壁面に固定される壁側固定部と、前記装置本体に固定される装置側固定部とを備え、
前記壁側固定部と前記装置側固定部とは、一方の少なくとも一部が他方に入り込むことで、前後方向に相対的にスライド可能に連結されている
ことを特徴とする遊技情報表示装置。
【請求項３】
請求項２に記載の遊技情報表示装置において、
前記壁側固定部及び前記装置側固定部は、ともに前後方向に延びる筒状部を有し、前記筒状部の一方が他方を覆うように相対的にスライド可能であり、かつ、外側に位置する前記筒状部の内壁面と内側に位置する前記筒状部の外壁面とが互いに近接している
ことを特徴とする遊技情報表示装置。
【請求項４】
請求項２または３に記載の遊技情報表示装置において、
前記支持部は、前後方向の離散する位置で前記壁側固定部と前記装置側固定部の相対位置をロックさせるロック機構を備えている
ことを特徴とする遊技情報表示装置。
【請求項５】
請求項４に記載の遊技情報表示装置において、
前記ロック機構は、前記壁側固定部及び前記装置側固定部の一方に設けられた係合部と他方に設けられた被係合部とが互いに係合することでロックするように構成され、かつ、前記装置本体を持ち上げることで、前記係合部と前記被係合部のロックが解除されるように構成されている
ことを特徴とする遊技情報表示装置。
【請求項６】
請求項１に記載の遊技情報表示装置において、
前記支持部は、前記装置本体と遊技場の壁面との間において、互いに着脱可能に前後方向に積層された少なくとも２枚の積層板により構成され、かつ、前記積層板のうちの前端に位置する前板が前記装置本体に、後端に位置する後板が前記壁面にそれぞれ固定されている
ことを特徴とする遊技情報表示装置。
【請求項７】
請求項６に記載の遊技情報表示装置において、
前記装置本体と前記支持部の前板との間、及び、前記積層板同士の間は、それぞれ、一方側の表面に設けられた係合部と他方側の表面に設けられた被係合部とが、上下方向及び水平方向の相対移動を規制するように係合することで連結されている
ことを特徴とする遊技情報表示装置。
【発明の詳細な説明】
【技術分野】
【０００１】
本発明は、遊技機の上方に設置される遊技情報表示装置に関する。
【背景技術】
【０００２】
従来より、遊技場では、パチンコ機やパチスロ機が設置される遊技島の上方に、遊技者に遊技情報を提供するための遊技情報表示装置が設置されている（例えば、特許文献１の図１参照）。一般的に、遊技情報表示装置の前面には、上記遊技情報を表示するための表示部と、遊技場の従業員を呼び出したり、遊技情報表示装置の設定を変更したりするための押ボタンやタッチパネル等で構成された操作部とが設けられている。
【０００３】
ところで、近年、特許文献２に示されるように、遊技機前枠の上側に大型の上側装飾部が設けられた遊技機が提供されている（例えば、特許文献２の図１参照）。
【先行技術文献】
【特許文献】
【０００４】
【特許文献１】特開２００５−２４５６８７号公報
【特許文献２】特許６３６５９９５号公報
【発明の概要】
【発明が解決しようとする課題】
【０００５】
一般的に、遊技情報装置は、遊技機が取り付けられる壁面やその上側に設けられた幕板の表面に取り付けられている。しかしながら、遊技機に対して、特許文献２のような大型の上側装飾部が設けられると、遊技者が遊技情報表示装置の情報を視認しにくくなったり、呼出手段や情報表示操作手段の操作がしにくくなったりすることがある。
【０００６】
一方で、遊技機の中には、特許文献２に示されるような大型の上側装飾部が設けられていないタイプの遊技機も多数存在しており、遊技機の前面に装飾部が設けられた遊技機と、装飾部が設けられていない遊技機とが混在している状況となっている。さらに、装飾部が設けられている場合にも、その大きさが遊技機によって異なるという状況が生じている。
【０００７】
上記の点に鑑み、遊技機の装飾の形態にかかわらず、表示情報の視認性及び操作性の高い遊技情報表示装置を提供することを目的とする。
【課題を解決するための手段】
【０００８】
本発明の一態様に係る遊技情報表示装置は、遊技情報を表示する遊技情報表示部と、遊技者の操作を受ける操作部とが設けられた装置本体と、遊技機の上方において、遊技島の壁面に、前記壁面と前記装置本体との間の前後方向の距離を変えることで前記装置本体の前後方向の位置を調整可能に、前記装置本体を支持する支持部とを備えている。
【０００９】
本態様の遊技情報表示装置では、装置本体を支持する支持部によって、装置本体の前後方向の位置が調整できるようになっている。装置本体には、遊技情報表示部や操作部が設けられているので、これらを遊技者に近づけたり、壁側に近づけたりすることができる。これにより、遊技場において、遊技機の装飾部の形態等に応じて、装置本体の位置を前後方向に調整することができるようになる。例えば、遊技機の前面に装飾部が設けられていないような遊技機が設置された遊技島では、装置本体が壁側に近づくように調整し、遊技機の前面に装飾部が設けられている遊技機が設置された遊技島では、その装飾部の前側へのせり出し具合に応じて、装置本体の前後方向の位置を調整する、といったことができるようになる。したがって、遊技機の装飾の形態にかかわらず、遊技情報表示部の視認性及び操作部の操作性を高めることができる。
【００１０】
前記支持部は、前記壁面に固定される壁側固定部と、前記装置本体に固定される装置側固定部とを備え、前記壁側固定部と前記装置側固定部とは、一方の少なくとも一部が他方に入り込むことで、前後方向に相対的にスライド可能に連結されていてもよい。
【００１１】
このように、支持部を壁側固定部と前記装置側固定部とが相対的にスライドする方式にすることで、装置本体の前後方向の位置調整する際に、支持部の取付け／取り外しすることなく位置調整をすることができる。
【００１２】
前記壁側固定部及び前記装置側固定部は、ともに前後方向に延びる筒状部を有し、前記筒状部の一方が他方を覆うように相対的にスライド可能であり、かつ、外側に位置する前記筒状部の内壁面と内側に位置する前記筒状部の外壁面とが互いに近接していてもよい。
【００１３】
このような構成にすることで、外側に位置する筒状部の内壁面と、内側に位置する筒状部の外壁面とが互いに干渉するので、筒状部に、支持部の上下方向及び水平方向へのぐらつきを抑制する抑制機能を兼ねさせることができる。
【００１４】
前記支持部は、前後方向の離散する位置で前記壁側固定部と前記装置側固定部の相対位置をロックさせるロック機構を備えている。
【００１５】
このようなロック機構を設けることで、装置本体の前後の調整位置のバリエーションを増やすことができる。
【００１６】
前記ロック機構は、前記壁側固定部及び前記装置側固定部の一方に設けられた係合部と他方に設けられた被係合部とが互いに係合することでロックするように構成され、かつ、前記装置本体を持ち上げることで、前記係合部と前記被係合部のロックが解除されるように構成されていてもよい。
【００１７】
このような構成にすることで、遊技場の従業員等がより簡単に（例えば、片手で）装置本体の前後方向の位置を調整することができるようになる。
【発明の効果】
【００１８】
本発明によると、遊技機の装飾の形態にかかわらず、表示情報の視認性及び操作性の高い遊技情報表示装置を提供することができる。
【図面の簡単な説明】
【００１９】
【図１Ａ】遊技情報表示装置（収納状態）の使用状態図
【図１Ｂ】遊技情報表示装置（引出状態）の使用状態図
【図２Ａ】第１実施形態の遊技情報表示装置（収納状態）を右斜め上側から見た斜視図
【図２Ｂ】第１実施形態の遊技情報表示装置（収納状態）を右斜め下側から見た斜視図
【図２Ｃ】図２ＢのIIＣ−IIＣ線断面図
【図２Ｄ】図２ＢのIIＤ−IIＤ線断面図
【図３Ａ】第１実施形態の遊技情報表示装置（引出状態）を右斜め上側から見た斜視図
【図３Ｂ】第１実施形態の遊技情報表示装置（引出状態）を右斜め下側から見た斜視図
【図３Ｃ】図３ＢのIIIＣ−IIIＣ線断面図
【図３Ｄ】図３ＢのIIIＤ−IIIＤ線断面図
【図３Ｅ】支持部の引出位置でのロック機構について説明するための図
【図４】第２実施形態の遊技情報表示装置の側面図
【図５Ａ】積層板の構成例を示す正面図、平面図、及び側面図
【図５Ｂ】積層板の構成例を示す背面図
【図６Ａ】遊技情報表示装置（収納状態）の使用状態図
【図６Ｂ】遊技情報表示装置（引出状態）の使用状態図
【発明を実施するための形態】
【００２０】
以下、図面を参照しながら本発明の実施形態を説明する。以下の好ましい実施形態の説明は、本質的に例示に過ぎず、本発明、その適用範囲あるいはその用途を制限することを意図するものではない。
【００２１】
＜本願発明の前提となる知見＞
図１Ａ及び図１Ｂに示すように、従来から、遊技情報表示装置１は、遊技機８の上方において、遊技島の壁面Ｗａに取り付けられている。
【００２２】
図１Ａの実線で示すように、従来から知られている遊技機８（以下、説明の便宜上、従来型遊技機という）では、前面に装飾部８１が設けられていないものが多かった。もしくは、遊技機８の前面に装飾部８１が設けられていても、装飾部８１のうちの遊技機８の枠体（図示省略）の上側に位置する上側装飾部８１ａの前側への突出量が少なかった。したがって、遊技機８の枠体の厚さを考慮して遊技情報表示装置１を遊技機８の上方に設置さえすれば、遊技者Ｐの遊技情報表示装置１を見る視線が遊技機８の装飾部８１によって遮られるようなことはなかった。
【００２３】
一方で、近年、大当たりに当選したことへの高揚感を高める観点から、遊技機の前面に突出するような装飾部８１が設けられている遊技機（以下、説明の便宜上、新型遊技機と称する）が増加している。特に、特許文献２に示されるように、前側への突出量が大きい上側装飾部８１ａを取り付けた遊技機８もあり、今後も増えていく可能性がある。
【００２４】
このような新型遊技機では、図１Ａの仮想線で示すように、装飾部８１（特に、上側装飾部８１ａ）によって、後述する遊技情報表示装置１を見る遊技者Ｐの視線（図１Ａの破線参照）がさえぎられる可能性がある。また、上側装飾部８１ａが邪魔になって、後述する遊技情報表示装置１の操作部２２の操作がしにくくなることが起こっている。
【００２５】
現在、遊技場では、従来型遊技機と、新型遊技機とが混在している。また、新型遊技機においても、機種ごとに上側装飾部８１ａの突出量が異なっている。
【００２６】
そこで、本願発明者らは、遊技場（遊技島Ｗ）の壁面Ｗａと後述する装置本体２との間の前後方向の距離を変えることで装置本体２の前後方向の位置を調整できるようにすることにより、遊技機８の装飾の形態にかかわらず、表示情報の視認性及び操作性の高い遊技情報表示装置１を提供することができると考えた。
【００２７】
具体的に、本開示では、遊技場（遊技島Ｗ）の壁面Ｗａに対して装置本体２を支持するための支持部３を設けており、この支持部３によって、遊技場の壁面Ｗａと装置本体２との間の前後方向の距離を変えることで装置本体２の前後方向の位置を調整できるように構成されている点に特徴がある。
【００２８】
＜第１の実施形態＞
まず、本願発明の第１の実施形態について説明する。本実施形態では、支持部３をスライド式にした例について説明する。本実施形態では、図１Ａ及び図２Ａ〜図２Ｄにおいて、装置本体２を後側に移動させた状態（以下、収容状態という）を示しており、図１Ｂ及び図３Ａ〜図３Ｄにおいて、装置本体２を前側に移動させた状態（以下、引出状態という）を示している。以下、図面を参照しつつ、具体的に説明する。
【００２９】
なお、本開示では、遊技者Ｐの座っている側を「前」、遊技島Ｗの壁面Ｗａ側を「後」と定義する。また、上記で定義した前後に基づいて、「左」及び「右」を定義する。
【００３０】
遊技情報表示装置１は、遊技情報表示部２１及び操作部２２が設けられた装置本体２と、遊技場に立設された遊技島Ｗの遊技機８上方の壁面Ｗａに装置本体２を支持する支持部３とを備えている。
【００３１】
遊技情報表示部２１は、装置本体２の前面に設けられており、対応する遊技機８の遊技情報や、該遊技機８に対応したキャラクター画像等の遊技情報を表示する。なお、遊技情報表示部２１は、１つに限定されるものではない。例えば、図２Ａに示すように、遊技情報表示部２１を２つ以上の領域（図２Ａでは、２１ａ，２１ｂと記載）に分けるようにしてもよい。また、遊技情報表示部２１（２１ａ，２１ｂ）は、遊技情報の表示ができるように構成されていればよいので、具体的な形態は、特に限定されるものではない。例えば、遊技情報表示部２１の表示パネルとして、パネル形式の液晶表示部や、７セグ方式の液晶表示部、タッチパネル式の表示部等を採用することができる。
【００３２】
図２Ａに示すように、操作部２２は、装置本体２の前面に設けられており、遊技場の従業員を呼び出す呼出操作部２２ａや、遊技情報表示部２１の表示内容を切り替えたり、表示項目等の設定・変更等をしたりするための設定操作部２２ｂ等を備えている。なお、操作部２２ａ，２２ｂの数は、特に限定されない。また、遊技情報表示部２１が、タッチパネル式の表示部の場合、遊技情報表示部２１が操作部２２を兼ねることができる。
【００３３】
装置本体２は、前面（遊技情報表示部２１の表示画面）が、上下方向（鉛直方向）に対して所定の傾斜角度θ（例えば、２０°程度）前側に傾くように、支持部３に取り付けられている（図１Ａ参照）。このように、遊技情報表示部２１の表示画面を傾けて設置することにより、遊技者Ｐに対して遊技情報を見やすくすることができる。また、遊技者Ｐが操作部２２の操作をしやすくすることができる。
【００３４】
図２Ｄに示すように、装置本体２は、支持部３に支持固定される基台２３と、基台の前端に一体的に設けられた表示パネル部２４とを備えている。
【００３５】
基台２３は、後端部の上下方向の高さが支持部３の前端の高さとほぼ同じであり、側断面視で前側に向かうのにしたがって徐々に下辺が下側に広がるように傾斜している。基台２３の上辺は、表示パネル部２４の手前までは略水平であり、表示パネル部２４の手前で上側に向かって大きく立ち上がるように傾斜している。そして、基台２３の上辺の前端と下辺の前端との前後方向の互いの位置をずらして、上辺の前端が前側にくるようにすることで、表示パネル部２４が遊技島Ｗの壁面Ｗａに対して傾斜角度θで前傾するようになっている。
【００３６】
なお、遊技情報表示部２１の具体的な内部構成については、本願との関連性が低いので、ここではその詳細説明を省略する。また、同様の趣旨で、図２Ｃ，Ｄ及び図３Ｃ，Ｄにおいて、遊技情報表示部２１の内部構成の図示を省略している。
【００３７】
図３Ａに示すように、支持部３は、遊技機８上方の壁面Ｗａに固定される壁側固定部４と、装置本体の後面に固定される装置側固定部５とを備えている。
【００３８】
図３Ｃに示すように、壁側固定部４は、正面視で矩形筒状の壁側筒状部４１と、壁側筒状部４１を構成する周壁の後端同士を接続する壁側固定板４２とを備えている。
【００３９】
壁側固定板４２には、壁側固定板４２を壁面Ｗａにねじ止め固定するために用いる複数のねじ孔４６が前後方向に貫通形成されている。そして、壁側固定部４では、ねじ孔４６の前側が開放されていて、壁側固定板４２を壁面Ｗａに当接させた状態で、正面（前面）から壁面Ｗａに対してねじ止め固定することができるようになっている。なお、壁側固定部４を壁面Ｗａに固定する方法は、ねじ止めに限定されない。例えば、壁側固定板４２の裏面に粘着テープや接着剤等による接着層（図示省略）を形成し、その接着層を介して壁側固定部４が壁面Ｗａに固定されるようにしてもよい。
【００４０】
装置側固定部５は、正面視で矩形筒状の装置側筒状部５１と、装置側筒状部５１を構成する周壁の前端同士を接続する装置側固定板５２とを備えている。
【００４１】
装置側筒状部５１は、壁側筒状部４１の上下左右の外側を覆うように構成され、装置側筒状部５１と壁側筒状部４１とが前後方向に相対的にスライド可能に構成されている。そして、装置側筒状部５１の内壁面５１ａと壁側筒状部４１の外壁面４１ａとが、互いに近接するように構成されているのが好ましい（図２Ｃ及び図２Ｄ参照）。
【００４２】
これにより、装置側筒状部５１及び壁側筒状部４１が互いに干渉しあって上下方向及び左右方向への移動や回動が規制されるので、装置本体２がぐらついたり、がたついたりするのを防ぐことができる。なお、本開示において、「近接する」とは、お互いが離れた状態でかつお互いに近くにあることに加えて、互いに接近することにより一部または全部が互いに当接しているものを含む概念である。
【００４３】
装置本体２の引出状態では、図３Ｃ及び図３Ｄに示すように、左右両側及び上下両側において、装置側筒状部５１の前端部と壁側筒状部４１の後端部とが前後方向に重なり部分を有するように構成されている。そして、その重なり部分において、装置側筒状部５１の内壁面５１ａと壁側筒状部４１の外壁面４１ａとが、互いに近接した状態で対向するように構成されている。これにより、遊技情報表示部２１の引出状態においても、互いの上下方向及び左右方向への移動や回動が規制され、装置本体２がぐらついたり、がたついたりするのを防ぐことができる。
【００４４】
さらに、支持部３は、装置本体２の収容状態における収容位置と、装置本体２の引出状態における引出位置とのそれぞれにおいて、壁側固定部４と装置側固定部５の前後方向の相対位置をロックさせるロック機構を備えている。
【００４５】
まず、収容位置におけるロック機構について説明する。
【００４６】
図２Ｄに示すように、壁側固定部４の前上の隅角部には、壁側固定部４の左右方向の中間位置において、左右方向に離間させた２箇所に、壁側筒状部４１の上壁の外壁面４１ａから上側に突出する鉤状の係合爪部４３が設けられている。係合爪部４３は、係合部に相当する。
【００４７】
装置側固定部５には、収容位置における係合爪部４３と対応する位置に、係合爪部４３を下から上に向かって嵌め込むことができるように形成された係合孔５３が形成されている。係合孔５３は、平面視で矩形状であり、かつ、装置側筒状部５１の上壁に対して上下方向に貫通形成されている。係合孔５３は、被係合部に相当する。
【００４８】
係合爪部４３は、収容位置以外では、装置側筒状部５１の上壁に押されて若干下側に撓むように構成されている。そして、係合爪部４３が装置側筒状部５１により撓まされた状態で収容位置以外の場所から収容位置に移動すると、係合爪部４３の撓みが解除されて、係合爪部４３が係合孔５３に入り込むことで係合する。これにより、壁側固定部４と装置側固定部５の前後方向の相対移動が規制され、両者の前後方向の相対位置がロックされる。すなわち、収容位置におけるロック機構は、壁側固定部４の係合爪部４３と、装置側固定部５の係合孔５３とが係合することによって実現される。
【００４９】
この収容位置におけるロック機構は、装置本体２（表示パネル部２４）を持ち上げることで、ロックが解除されるように構成されている。具体的には、装置本体２が持ち上げられると、それに伴って基台２３も持ち上がるので、基台２３に固定された装置側固定部５も持ち上げられる。そうすると、装置側固定部５の前端に設けられた係合孔５３も持ち上げられるので、壁側固定部４の係合爪部４３と、装置側固定部５の係合孔５３との係合が解除される。そして、例えば、作業者（従業者）が、その持ち上げた状態を維持しながら、装置本体２を手前側に引き出すことによって、装置本体２を収容位置から引出位置に向かって移動させることができる。
【００５０】
このような構成にすることにより、遊技場の従業員が、片手で簡単にロックを解除させて、装置本体２を前後方向に移動させることができるという効果が得られる。
【００５１】
なお、係合部（係合爪部４３）及び被係合部（係合孔５３）の形状は、上記実施形態に限定されるものではなく、係合部と被係合部の係合により前後方向の相対位置がロックされるように構成されていればよい。例えば、被係合部が、係合孔５３に代えて、例えば、有底の凹部（図示省略）により構成されていてもよい。さらに、ロック機構は、係合部と被係合部の係合により実現されるものとしたが、これに限定されず、ねじ止め式等の他のロック機構であってもよい。
【００５２】
次に、引出位置における抜け止め機構及びロック機構について説明する。
【００５３】
抜け止め機構は、支持部３の上端側において抜け止めする上段抜止部と、支持部３の下端側において抜け止めする下段抜止部と、支持部の上下左右方向の中間位置で抜け止めする中段抜止部とにより構成されている。
【００５４】
図３Ｄに示すように、上段抜止部は、前述の係合爪部４３と、装置側固定部５の後上の隅角部に設けられた係合爪部５５とによって構成されている。係合爪部５５は、装置側筒状部５１の上壁の内壁面５１ａから下側に突出する鉤状構造であり、係合爪部４３と左右方向の位置をあわせるように設けられている。そして、引出位置において、係合爪部５５と係合爪部４３とが係合することで、抜け止めができるようになっている。
【００５５】
下段抜止部は、壁側固定部４の前下の隅角部に設けられた係合爪部４４と、装置側固定部５の後下の隅角部に設けられた係合爪部５４とによって構成されている。係合爪部４４は、壁側筒状部４１の下壁の外壁面４１ａから下側に突出する鉤状構造であり、係合爪部４３と左右方向の位置が揃うように２箇所に設けられている。係合爪部５４は、装置側筒状部５１の下壁の内壁面５１ａから上側に突出する鉤状構造であり、係合爪部４４と左右方向の位置をあわせるように設けられている。そして、引出位置において、係合爪部５４と係合爪部４４とが係合することで、抜け止めができるようになっている。
【００５６】
図３Ｃに示すように、中段抜止部は、係合爪部４３と左右方向の位置が揃うように壁側固定部４に設けられた抜止フック４８と、装置側固定部５に設けられた抜止フック５８とによって構成されている。抜止フック４８は、壁側固定板４２の前面における上下方向の中間位置から前側に向かって立設され、壁側筒状部４１の前端近傍で後に向かって折り返された平面視でＪ字形状の板である。抜止フック５８は、装置側固定板５２の後面における上下方向の中間位置から後側に向かって立設され、装置側筒状部５１の後端近傍で前に向かって折り返された平面視でＪ字形状の板である。そして、抜止フック４８と抜止フック５８とが、左右方向に対応する位置に設けられていて、引出位置において、抜止フック４８及び抜止フック５８の、互いの折り返し部分が係合し合って抜け止めできるようになっている。
【００５７】
このように、本実施形態では、支持部３の複数箇所に抜け止め機構を設けることにより、装置本体２が大型化しても、装置本体２をしっかりと支持し、かつ、引出位置に引き出された状態においても確実に抜け止めができるようになっている。
【００５８】
次に、支持部３の引出位置におけるロック機構について説明する。
【００５９】
図３Ｅは、支持部３の引出位置でのロック機構を例示しており、図３ＢのIIIＤ−IIIＤ線相当の断面図として示している。図３Ｅに示すように、装置側筒状部５１の上壁の内壁面５１ａには、前後方向の任意の位置に係合爪部４３を係合させるための凹部５６が形成されている。同様に、装置側筒状部５１の下壁の内壁面５１ａには、凹部５６との前後方向の位置をあわせて係合爪部４４を係合させるための凹部５７が形成されている。そして、係合爪部４３と凹部５６とが係合し、係合爪部４４と凹部５７とが係合することにより、壁側固定部４と装置側固定部５との前後方向の相対移動が規制されるように構成されている。図３Ｅでは、（１）装置本体２が完全に引き出された全引出位置、（２）全引出位置と収容位置との中間位置の２箇所において、係合爪部４３，４４と対応する位置に、凹部５６，５７が互いに離間させて形成されている例を示している。このような凹部５６，５７を形成することにより、装置本体２を任意の位置でロックさせることができるようになる。ここで、凹部５６，５７の位置は、前後方向に離間させた２箇所に限定されず、１箇所でもよいし、前後方向に離間させた３箇所以上でもよい。また、図３Ｄに示すように、装置側固定部５に凹部５６，５７が形成されていないような構成にしてもよい。
【００６０】
以上のように、本実施形態において、遊技情報表示装置１の支持部３は、壁側固定部４の壁側筒状部４１が装置側固定部５の装置側筒状部５１に入り込むことで、前後方向にスライド可能に連結された構成になっている。換言すると、遊技情報表示装置１では、装置本体２の前後方向の位置、すなわち、遊技情報表示部２１及び操作部２２の前後方向の位置を調整することができるようになっている。これにより、従来型遊技機及び新型遊技機の双方において、遊技機８の装飾の形態にかかわらず、遊技情報表示装置１の表示情報の視認性及び操作部の操作性を高めることができる。
【００６１】
さらに、遊技場の壁面Ｗａと、装置本体２との距離を調整することができるので、幕板Ｍの開閉時の回避構造として使用することもできる。例えば、図６Ａに示すように、収容位置において使用している場合に、装置本体２の表示パネル部２４が幕板Ｍに干渉して幕板Ｍが開くことができないような場合がある。そのような場合においても、図６Ｂに示すように、装置本体２を引出位置に移動させ、装置本体２の表示パネル部２４が幕板Ｍに干渉しないようにして、遊技場の従業者（以下、単に従業者という）が幕板Ｍを開閉できるようにすることができる。
【００６２】
そして、本実施形態では、装置本体２を持ち上げることで、収容位置におけるロックが解除されるようにしているので、例えば、図６Ａの状態において、従業者が幕板Ｍを開閉する際に、片手でロック機構のロックを解除して、装置本体２を引き出すことができる。これにより、従業者の作業負担を軽減すると共に、遊技者に席を立たせる等の不快な思いをさせることなく、従業者が玉詰まりの解消等の作業を行うことができる。
【００６３】
なお、上記実施形態では、収容位置において、装置側筒状部５１が壁側筒状部４１の全体を覆うように重ねて配置され、その状態から装置側筒状部５１と壁側筒状部４１とが相対的にスライドするように構成されている例について説明したが、これに限定されない。例えば、装置側固定部５及び壁側固定部４のうちの一方の少なくとも一部が他方に入り込むことで、装置側固定部５と壁側固定部４とが、前後方向に相対的にスライド可能に連結されていてもよい。
【００６４】
また、上記実施形態では、ロック機構は、遊技情報表示装置１の収容位置と引出位置において、壁側固定部４と装置側固定部５の前後方向の相対位置をロックさせるものとしたがこれに限定されない。例えば、ロック機構が、収容位置と引出位置に加えて、または、代えて、両位置の中間位置において、壁側固定部４と装置側固定部５の相対位置をロックさせるように構成されていてもよい。これにより、調整位置のバリエーションを増加させることができる。
【００６５】
また、上記実施形態では、支持部３は、遊技島Ｗの壁面Ｗａに取り付けられるものとしたが、これに限定されず、支持部３が幕板Ｍの表面Ｍａに取り付けられていてもよく、同様の効果が得られる。
【００６６】
＜第２の実施形態＞
次に、第２の実施形態について、図４、図５Ａ、図５Ｂを参照しつつ説明する。なお、第１の実施形態と共通の構成要素について、同一の符号を付して説明を省略する場合がある。例えば、装置本体２は、第１の実施形態と共通であり、ここではその詳細説明を省略する。
【００６７】
本実施形態では、支持部３は、装置本体２と遊技島Ｗの壁面Ｗａとの間において、互いに着脱可能に前後方向に積層された少なくとも２枚の積層板６により構成されている。そして、その積層板６のうちの前端に位置する前板６ａが装置本体２に、後端に位置する後板６ｂが壁面Ｗａにそれぞれ固定されている。図４には、上段に支持部３が２枚の積層板６で構成されている例を示している。同様に、図４の中段に、支持部３が３枚の積層板６で構成されている例を、図４の下段に、支持部３が４枚の積層板６で構成されている例を示している。
【００６８】
図４の上段、中段、下段の構成のいずれにおいても、積層板６の前板６ａが装置本体２に固定され、後板６ｂが壁面Ｗａにそれぞれ固定されている。そして、図４の中段及び下段では、前板６ａと後板６ｂとの間に中板６ｃを挟んでおり、この中板６ｃの枚数を変更することにより、装置本体２の前後方向の位置を調整することができるようになっている。
【００６９】
図５Ａ、図５Ｂには、積層板６の構成の一例を示している。
【００７０】
積層板６の前面には、上側の左右方向の中間位置（２箇所）に、前側に配置される積層板６の後面、もしくは、装置本体２の後面に設けられた被係合部６４に係合して相互間を固定させるための係合フック６１が設けられている。
【００７１】
係合フック６１は、積層板６の前面において、上側に向かって略Ｌ字状に折り曲がるように突設された構成を有する。前述のとおり、被係合部６４は、積層板６の後面または装置本体２の後面において、係合フック６１と対応する位置に設けられていて、下側に向かって開放するように凹んだ有底の収容部６４ａを有する。そして、この収容部６４ａに対して、下側から係合フック６１が挿入されて収容されることで、前後の積層板６同士、または、前板６ａと装置本体２とが互いに固定されるようになっている。
【００７２】
さらに、積層板６の係合フック６１の左右方向の中央には、上下方向に延びるリブ６１ａが形成され、積層板６の収容部６４ａには、リブ６１ａと対応する位置に、上下方向に延びる切欠部６４ｂが形成されている。これにより、収容部６４ａに係合フック６１が収容されたときに、リブ６１ａが切欠部６４ｂが入り込んで、前後の積層板６間での水平方向（左右方向）の移動が規制されるようになっている。
【００７３】
また、積層板６の左右方向の両端には、積層板６の前面に突設され、左右両外側に向かって略Ｌ字状に折り曲げられた一対の係合フック６２が設けられている。積層板６の左右方向両端の上側の隅角部には、上下方向に延びる溝が形成されていて、係合フック６２を上側からスライド挿入して、互いに水平方向（左右方向）の移動を規制するように係合させることができるようになっている。
【００７４】
さらに、積層板６には、前後方向に貫通するねじ孔６３が複数形成されていて、積層板６を後板６ｂとして機能させる際に、積層板６（後板６ｂ）を壁面Ｗａにねじ止め固定することができるようになっている。
【００７５】
以上のように、本実施形態によると、支持部３が、装置本体２と遊技場の壁面Ｗａとの間に積層された積層板６によって構成されるようにしているので、積層板６の枚数を変更することにより、第１実施形態と同様に、装置本体２の前後方向の位置、すなわち、遊技情報表示部２１及び操作部２２の前後方向の位置を調整することができる。これにより、従来型遊技機及び新型遊技機の双方において、遊技機８の装飾の形態にかかわらず、遊技情報表示装置１において、遊技情報表示部２１の表示情報の視認性及び操作部２２の操作性を高めることができる。さらに、第１実施形態と同様に、装置本体２の表示パネル部２４が幕板Ｍに干渉しないようにして、従業者が幕板Ｍを開閉できるような構成にすることが可能である。
【００７６】
なお、図５では、複数の積層板６の厚さが互いに等しい場合の例を示しているが、これに限定されない。例えば、前板６ａ、中板６ｃ、後板６ｂの一部又は全部の厚さが互いに異なっていてもよい。例えば、中板６ｃとして、互いに厚さが異なる中板６ｃを複数種類用意して、その中から最適な中板６ｃを選択して前板６ａと後板６ｂとの間に装着するようにしてもよい。
【００７７】
また、上記第１及び第２実施形態において説明した構成は、互いに組み合わせて使用するようにしてもよい。例えば、第２実施形態で説明した、水平方向の移動規制構成を第１実施形態の装置側固定部５と装置本体２との固定部分に適用するようにしてもよい。
【産業上の利用可能性】
【００７８】
本発明は、遊技機の装飾の形態にかかわらず、遊技情報表示装置の表示情報の視認性及び操作部の操作性を高めることができるので、きわめて有用で産業上の利用可能性は高い。
【符号の説明】
【００７９】
１  遊技情報表示装置
２  装置本体
２１  遊技情報表示部
２２  操作部
３  支持部
４  壁側固定部
４１  壁側筒状部
５  装置側固定部
５１  装置側筒状部
Ｗａ  壁面
【図１Ａ】
2020025725.tif 000003
【図１Ｂ】
2020025725.tif 000004
【図２Ａ】
2020025725.tif 000005
【図２Ｂ】
2020025725.tif 000006
【図２Ｃ】
2020025725.tif 000007
【図２Ｄ】
2020025725.tif 000008
【図３Ａ】
2020025725.tif 000009
【図３Ｂ】
2020025725.tif 000010
【図３Ｃ】
2020025725.tif 000011
【図３Ｄ】
2020025725.tif 000012
【図３Ｅ】
2020025725.tif 000013
【図４】
2020025725.tif 000014
【図５Ａ】
2020025725.tif 000015
【図５Ｂ】
2020025725.tif 000016
【図６Ａ】
2020025725.tif 000017
【図６Ｂ】
2020025725.tif 000018